(57)【要約】【課題】従来の交通信号機では、青光ライト、黄光ライト、赤光ライト、青方向矢印ライトが各々分離されて備えられていた、そのため信号機重量が重くなっていた、また分離されているため瞬時に判断しにくくなっていた、青−黄−赤−方向矢印と点灯する、予告のために黄のライトが点灯した、直射日光がライトに当たり認識することが困難な場合もある、又、場所によっては、設置場所が狭い困難な空間もあった。【解決手段】一個のＬＥＤの内臓に青、黄、赤の素子を入れた、そのＬＥＤを複数個使用して、信号機のライトに活用した、そのライト青、黄、赤の円を四分の三づつ横に絡み連なった形にしコンパクトにした、そのライトをリレータイマ（制御機器）により点灯させた、又そのライトに方向矢印を加えた、その方向矢印は赤の円が点灯したら赤の中心軸を基点に任意の時に下方から任意の方向に順次点灯するようにした、又、予告として消えるまえに任意の時に任意の時間点滅にもした。【選択図】図１７
2012043393.tif 000002
【特許請求の範囲】
【請求項１】
一個のＬＥＤ（発光ダイオード）の内蔵に青、黄、赤の素子を入れたＬＥＤを複数個使用して交通信号機のライトに活用した、その青、黄、赤のライトの形状は、青の円、黄の円、赤の円の三個の円が四分の三づつ横に絡み連なった形状をした交通信号機。
【請求項２】
請求項１のライトが赤の表示の円において、青の任意の方向矢印を加えた形状（円外から円内また円外にした）の交通信号機。
【請求項３】
請求項２の方向矢印は、任意の時に下方から指示方向に順次点灯するようにした交通信号機。
【請求項４】
請求請２の方向矢印が予告のために、消える前に任意の時に任意の時間方向矢印を点滅にした交通信号機。
【発明の詳細な説明】
【技術分野】
【０００１】本発明は、ＬＥＤ一個の内蔵に青：黄：赤の素子をいれたＬＥＤを複数個活用して、その信号機のライトに応用した、そのライトの形状は三個の円が四分の三づつ横に絡み連なった形状にした交通信号機に関する。【０００２】また、そのライトの中に方向矢印を加えた形にした、その青の方向矢印は、赤の円が点灯したとき、任意の時間に順次点灯していくようにした、又任意の時に任意の時間点滅にした、その青の方向矢印は、赤の円の中心を基点に表示する。
【背景技術】
【０００３】一般に交通信号機には、青光ライト、黄光ライト、赤光ライトの三個のライトが各々分離されて備えられていた、他に青光色で点灯する方向矢印のライトも分離されて備えられていた、また、方向矢印が消えるまえに予告のために黄の円が点灯した、ＬＥＤを使用している場合でも、一個のライトで一光色を点灯するようにライトがＬＥＤで構成されているＬＥＤ自体は単光源単光色であり、したがって青光、黄光、赤光を点灯する場合、三個のライトを必要とした、また必要に応じて方向矢印のライトが加えられていた、また、その作動は制御機器でコントロールしている、又、方向矢印を入れると複数のライトを必要とした。
【発明の開示】
【発明が解決しようとする課題】
【０００４】従来の交通信号機では、青光ライオと、黄光ライト、赤光ライト、青方向矢印ライトが各々分離されて備えられていた、そのため信号機重量が重くなっていた、また分離されているため瞬時に判断しづらいこともあった、青−黄−赤−方向矢印と点灯するが、赤になるまえに予告のために黄のライトが点灯するが、また、矢印が消えるまえにも又黄ライトが点灯する、直射日光が当たり認識することが困難な場合もある、また、場所によっては設置場所が狭い困難な空間もあった。
【課題を解決するための手段】
【０００５】そこで本発明は課題を解決すべく研究を重ねた結果創案されたものでＬＥＤ発光体一個に青色、黄色、赤色の三つの源（素子）を内蔵した構造のＬＥＤ発光体を複数個使って三個の円が四分の三づつ横に絡み連なった形状にした、この形を交通信号機のライトとした、そのライトを制御装置の作動で青−黄−赤の光色の順に連続して発光するようにした。【０００６】そのライトの円内が赤の表示になったとき、時間差をもうけて青の方向矢印を表示できるようにした、この方向矢印はライトの赤の円内の一部分を共有するととに、赤の円外に突き出した方向矢印としてしめす、また任意の時に任意の方向に示すことが出来るようにした、そのライトはドライバーが見た場合瞬時に判断できる、分離していたライトを一個のようにまとめてコンパクトにした、また矢印を順次点灯するようにした、また消えるまえに予告のために矢印を点滅にした。
【発明の効果】
【０００７】ドライバーや歩道を渡る通行人が交通信号機を見た場合、瞬時に判断できる、直射日光に反射して誤認することがなくなる、交通信号機自体を軽量化でき、狭い空間でもライトを設置することが出来る。
【発明を実施するための最良の形態】
【０００８】以下図面を参照して本発明を実施するための形態を説明すると一個のＬＥＤに青素子１１、黄素子１２、赤素子１３、の三つの光源（素子）を内蔵した、電極マイナス側のカソード（Ｋ）の足青１４：黄１５：赤１６と電極プラス側のアノード（Ａ）の足１７を設けた（図２参照）、そのＬＥＤの回路図を（図３）に示した。【０００９】その作動はリレータイマ（制御機器）４で青、黄、赤と順次発光させる（図４参照）、そのＬＥＤ１を信号機３のライト２を基板上に設置した、その裏面には、（Ｋ）青の配線１９、（Ｋ）黄の配線２０、（Ｋ）赤の配線２１、（Ａ）アノードの配線２２を設けた（図５参照）。【００１０】信号機のライトの形は、三個の円が四分の三づつ横に絡み連なった形状にした（図１、８参照）、この形にＬＥＤ１を複数個使用して交通信号機３のライト２にした、交通信号機のライトの中のＬＥＤ１の配列は直線状と同心円状とを混合して配列した（図８参照）、そのライトをリレータイマ（制御機器）４により青ライト、黄ライト、赤ライトを順番に点灯をくりかえすようにした。【００１１】この信号機のライトの形状において、青の方向矢印を加えた形にした（図１７，１８、１９参照）、この矢印は赤の円を主体とした円において表示する、この交通信号機３のライト２の方向矢印は赤の形の円において円外から円内又円内と表示した（図３１参照）、この方向矢印は任意の時に任意の方向へ表示する。【００１２】この矢印は任意の時に下方から指示する方向へ、始めに一回だけ一こまづつ順次点灯していくようにした（図３１参照）、また消えるまえに予告のために任意の時に任意の時間点滅するようにした（図３３参照）。【００１３】その作動はリレータイマ（制御機器）４ａにより青−黄−赤−青矢印点灯−矢印点滅とした、矢印が順次点灯する場合は赤の円の形状において、赤の円が点灯している間である、また、矢印が点滅いる場合も同じく赤の円が点灯している間である。【００１４】方向矢印が下方から一こまづつ順次点灯していく場合と、方向矢印が点灯している場合とを区別して説明すると、リレータイマ（制御機器）が作動した時、瞬時に順次点灯機器に伝わり一こまづつ順次点灯する、順次点灯していく速さは、順次点灯機器のダイヤル２５で調整する、その方向矢印が点灯している時間はリレータイマ（制御機器）のダイヤル９で調整する（図２１，３０参照）。【００１５】方向矢印の点滅する場合は、リレータイマ（制御機器）４ａが作動したとき電流により点滅する、その点滅している時間はリレータイマ（制御機器）のダイヤル１０で調整する、点滅する早さは点滅機器のダイヤル２６で調整する（図２１、３２参照）。【００１６】方向矢印の点滅、順次点灯を表示するためのＬＥＤに通じる配線は矢印部分で構成されている部分と、矢印部分を除いた円の部分は別々に配線される、それゆえリレータイマ（制御機器）４ａからの信号（電流）は矢印部分へいく信号（電流）と、矢印部分を除いた円の部分にいく信号（電流）は別々になる、方向矢印の順次点灯、点滅の配線をするためには、青の円、黄の円、赤の円が重複しているため、各円の矢印部分の配線は独立して配線をしなければならない、各円ごとに、構成されている配線で矢印部分は別々（個々）に導通するようにした、リレータイマ（制御機器）４ａからでる配線は二本に分かれる、一本は矢印へ、もう一本は円内の矢印以外の部分へ配線される（図２１〜２７参照）。【００１７】リレータイマ（制御機器）４ａから出る信号（電流）は、その電流が互いに導通しないように逆流防止３０、３１のダイオードを取り付けた、また、点滅の配線でダイオードとダイオードが直列になっている部分の電圧が減圧されるため、減圧の差は、下方からＳ接続点までの部分に各ダイオードに接続して抵抗（等価抵抗）を取り付けて調整した（図４５参照）。【００１８】点滅の配線でＺ逆流防止のダイオード３１で矢印の先端からの信号（電流）がここでストップしている、ここから下方に電流をながすために、Ｒ接点３２とＳ接点３３をバイバス２９でつないで電流をながした（図４６、４７参照）。
【図面の簡単な説明】
【００１９】
【図１】信号機の図である。
【図２】青、黄、赤の三光源の素子が入っているＬＥＤの構造図である。
【図３】青、黄、赤の三光源の素子が入っているＬＥＤの回路図である。
【図４】リレータイマ（制御機器）の作用で一個のＬＥＤが青、黄、赤と光色する図である。
【図５】三光源のＬＥＤを基板にセットした図である。
【図６】信号機全体とそのライトとそのリレータイマ（制御機器）を示した図である。
【図７】ライトが青、黄、赤と順次点灯する図である。
【図８】ライトの表面図である。
【図９】ライトの裏面配線図である。
【図１０】リレータイマ（制御機器）により裏面配線図である点線で示した部分を拡大するために示した図である。
【図１１】リレータイマ（制御機器）により裏面青の配線を示した図である。
【図１２】リレータイマ（制御機器）により裏面黄の配線を示した図である。
【図１３】リレータイマ（制御機器）により裏面赤の配線を示した図である。
【図１４】リレータイマ（制御機器）により表面青を示した図である。
【図１５】リレータイマ（制御機器）により表面黄を示した図である。
【図１６】リレータイマ（制御機器）により表面赤を示した図である。
【図１７】信号機の全体図でありライトが矢印を加えた図である。
【図１８】青、黄、赤、青矢印と順に点灯していく図である。
【図１９】ライトに矢印を加えたライト表面図である。
【図２０】ライトに矢印を加えたライト裏面の配線図である。
【図２１】リレータイマ（制御機器）と順次点灯機器と点滅機器の関係を示した図。
【図２２】リレータイマ（制御機器）から青１９の配線が裏面の円に配線される図。
【図２３】リレータイマ（制御機器）から配線１９により表面の円が青になることを示す図。
【図２４】リレータイマ（制御機器）から黄２０の配線が裏面の円に配線される図。
【図２５】リレータイマ（制御機器）から配線２０により表面の円が黄になることを示す図。
【図２６】リレータイマ（制御機器）から赤２１の配線が裏面の円に配線される図。
【図２７】リレータイマ（制御機器）から配線２１により表面の円が赤なることを示す図。
【図２８】表面の矢印だけを示した図である。
【図２９】裏面の矢印部分の順次点灯と点滅の配線図である。
【図３０】裏面の順次点灯部分の配線を示した図である。
【図３１】表面の順次点灯部分とひとこまづつ進行していくことを示した図である。
【図３２】裏面の点滅信号の配線を示した図である。
【図３３】表面の方向矢印の点滅を示した図である。
【図３４】裏面青にもなり黄にもなり赤にもなる部分を説明のため一回目の分離を示した図である。
【図３５】裏面青にもなり黄にもなり赤にもなる部分を説明のため二回目の分離を示した図である。
【図３６】リレータイマ（制御機器）４ａにより青、黄、赤の配線が分離部分に配線していくことを示した図である。
【図３７】リレータイマ（制御機器）４ａにより青、黄、赤の配線が分離部分に配線した図。
【図３８】リレータイマ（制御機器）４ａと分離部分の回路図である。
【図３９】リレータイマ（制御機器）４ａの青から分離部分へ配線を示した図である、又、逆流防止のダイオード３０，３１を点線で示した図、又バイバス２９の配線を示した図である。
【図４０】リレータイマ（制御機器）４ａの黄から分離部分へ配線を示した図である。
【図４１】リレータイマ（制御機器）４ａの赤から分離部分へ配線を示した図である。
【図４２】リレータイマ（制御機器）４ａの青から表面の矢印部分の青に表示した図。
【図４３】リレータイマ（制御機器）４ａの黄から表面の矢印部分の黄に表示した図。
【図４４】リレータイマ（制御機器）４ａの赤から表面の矢印部分の赤に表示した図。
【図４５】矢印の裏面の配線でダイオードとダイオードが直列に接続している部分を点線枠で示した図、又等価抵抗を示した図、また、一部分の回路を太線で示した図である。
【図４６】矢印部分の点滅の配線で先端からくる電流が逆流防止のダイオード３１でストップしたしたことを示した図である。
【図４７】Ｒ〜Ｓの間にバイバスで配線をつないで電流を下方にながした図である。
【符号の説明】
【００２０】１    青、黄、赤の三光源の素子が入っているＬＥＤ
２    ライト
３    交通信号機
４    リレータイマ
５    方向矢印
６    青ダイヤル
７    黄ダイヤル
８    赤ダイヤル
９    順次点灯ダイヤル
１０  点滅ダイヤル
１１  青素子
１２  黄素子
１３  赤素子
１４  Ｋ（青のカソードの足）
１５  Ｋ（黄のカソードの足）
１６  Ｋ（赤のカソードの足）
１７  Ａ（アノードの足）
１８  基板
１９  Ｋ（青のカソードの配線）
２０  Ｋ（黄のカソードの配線）
２１  Ｋ（赤のカソードの配線）
２２  Ａ（アノードの配線）
２３  順次点灯機器
２４  点滅機器
２５  順次点灯ダイヤル
２６  点滅ダイヤル
２７  ダイオード
２８  抵抗
２９  バイバス
３０  Ｐ逆流防止のダイオード
３１  Ｚ逆流防止のダイオード
３２  Ｒ接続点
３３  Ｓ接続点
【図１】
2012043393.tif 000003
【図２】
2012043393.tif 000004
【図３】
2012043393.tif 000005
【図４】
2012043393.tif 000006
【図５】
2012043393.tif 000007
【図６】
2012043393.tif 000008
【図７】
2012043393.tif 000009
【図８】
2012043393.tif 000010
【図９】
2012043393.tif 000011
【図１０】
2012043393.tif 000012
【図１１】
2012043393.tif 000013
【図１２】
2012043393.tif 000014
【図１３】
2012043393.tif 000015
【図１４】
2012043393.tif 000016
【図１５】
2012043393.tif 000017
【図１６】
2012043393.tif 000018
【図１７】
2012043393.tif 000019
【図１８】
2012043393.tif 000020
【図１９】
2012043393.tif 000021
【図２０】
2012043393.tif 000022
【図２１】
2012043393.tif 000023
【図２２】
2012043393.tif 000024
【図２３】
2012043393.tif 000025
【図２４】
2012043393.tif 000026
【図２５】
2012043393.tif 000027
【図２６】
2012043393.tif 000028
【図２７】
2012043393.tif 000029
【図２８】
2012043393.tif 000030
【図２９】
2012043393.tif 000031
【図３０】
2012043393.tif 000032
【図３１】
2012043393.tif 000033
【図３２】
2012043393.tif 000034
【図３３】
2012043393.tif 000035
【図３４】
2012043393.tif 000036
【図３５】
2012043393.tif 000037
【図３６】
2012043393.tif 000038
【図３７】
2012043393.tif 000039
【図３８】
2012043393.tif 000040
【図３９】
2012043393.tif 000041
【図４０】
2012043393.tif 000042
【図４１】
2012043393.tif 000043
【図４２】
2012043393.tif 000044
【図４３】
2012043393.tif 000045
【図４４】
2012043393.tif 000046
【図４５】
2012043393.tif 000047
【図４６】
2012043393.tif 000048
【図４７】
2012043393.tif 000049